(57)【要約】【課題】  放送コンテンツ自体には楽曲データを含めなくても、放送にあわせて電子音楽装置を連動動作させる。【解決手段】  放送局から放送される放送コンテンツに含まれる１乃至複数の音楽それぞれに対応する楽曲データを予め取得しておき、さらに１乃至複数の音楽それぞれが放送されるタイミングに対応したタイミング制御情報に基づき、該当する楽曲データを用いて、前記放送コンテンツの放送時に流れる１乃至複数の音楽それぞれに同期するようにして、少なくとも音源、演奏操作子、表示器のいずれか１つを駆動するよう制御する。このようにすると、放送局から放送される放送コンテンツに、電子音楽装置を放送にあわせて連動動作することを考慮して楽曲データを含めておかなくても、放送中の音楽にあわせて電子音楽装置を連動動作させることができ、電子音楽装置を連動動作させるための放送コンテンツの制作が容易となる。【選択図】        図４
2008216890.tif 000002
【特許請求の範囲】
【請求項１】
少なくとも音源、演奏操作子、表示器のいずれか１つを具えた電子音楽装置において、
放送局から放送される放送コンテンツに含まれる１乃至複数の音楽それぞれに対応する楽曲データを予め取得する楽曲情報取得手段と、
前記放送コンテンツに含まれる１乃至複数の音楽それぞれが放送局から放送されるタイミングに対応したタイミング制御情報を取得する取得手段と、
少なくとも音源、演奏操作子、表示器のいずれか１つを駆動する駆動手段と、
前記取得したタイミング制御情報に基づき、前記取得した１乃至複数の楽曲データのうち該当する楽曲データに従って、前記放送コンテンツの放送時に流れる１乃至複数の音楽それぞれに同期するようにして前記駆動手段を駆動するよう制御する制御手段と
を具えた電子音楽装置。
【請求項２】
少なくとも音源、演奏操作子、表示器のいずれか１つを具えた電子音楽装置において、
放送局から放送される放送コンテンツに含まれる１乃至複数の音楽それぞれに対応する楽曲データにアクセスするための楽曲特定情報を予め取得する楽曲情報取得手段と、
前記放送コンテンツに含まれる１乃至複数の音楽それぞれが放送局から放送されるタイミングに対応したタイミング制御情報を取得する取得手段と、
少なくとも音源、演奏操作子、表示器のいずれか１つを駆動する駆動手段と、
前記取得したタイミング制御情報に基づき、前記取得した１乃至複数の楽曲特定情報のうち該当する楽曲特定情報に従う楽曲データを随時に取得し、該取得した楽曲データに従って前記放送コンテンツの放送時に流れる１乃至複数の音楽それぞれに同期するようにして前記駆動手段を駆動するよう制御する制御手段と
を具えた電子音楽装置。
【請求項３】
放送局から放送される放送コンテンツに含まれる１乃至複数の音楽のうちから所望の音楽を選択する選択手段を具えてなり、前記楽曲情報取得手段は前記選択された音楽に対応した楽曲データのみ、又は楽曲データにアクセスするための楽曲特定情報のみを取得することを特徴とする請求項１又は請求項２に記載の電子音楽装置。
【請求項４】
通信ネットワークを介して相互に通信可能に接続されるサーバと電子音楽装置とからなる電子音楽装置システムであって、
放送局から放送される放送コンテンツに含まれる１乃至複数の音楽それぞれに対応する楽曲データと、前記放送コンテンツに含まれる１乃至複数の音楽それぞれが放送局から放送されるタイミングに対応したタイミング制御情報とを記憶する手段と、前記電子音楽装置からの指示に応じて前記記憶した１乃至複数の楽曲データとタイミング制御情報とを送信する手段とを含むサーバと、
前記サーバから送信された１乃至複数の楽曲データとタイミング制御情報を受信して記憶する手段と、前記記憶したタイミング制御情報に基づき、前記取得した１乃至複数の楽曲データのうち該当する楽曲データに従って、前記放送コンテンツの放送時に流れる１乃至複数の音楽それぞれに同期するようにして、少なくとも音源、演奏操作子、表示器のいずれか１つを駆動するよう制御する手段とを含む電子音楽装置と
を具えた電子音楽装置システム。
【請求項５】
通信ネットワークを介して相互に通信可能に接続されるサーバと電子音楽装置とからなる電子音楽装置システムであって、
放送局から放送される放送コンテンツに含まれる１乃至複数の音楽それぞれに対応する楽曲データと、前記楽曲データにアクセスするための楽曲特定情報と、前記放送コンテンツに含まれる１乃至複数の音楽それぞれが放送局から放送されるタイミングに対応したタイミング制御情報とを記憶する手段と、前記電子音楽装置からの指示に応じて前記記憶した楽曲特定情報とタイミング制御情報とを送信する手段と、前記電子音楽装置からの前記送信した楽曲特定情報に基づくアクセスに応じて前記記憶した１乃至複数の楽曲データのうち該当する楽曲データを送信する手段とを含むサーバと、
前記サーバから送信された１乃至複数の楽曲特定情報とタイミング制御情報を受信して記憶する手段と、前記記憶したタイミング制御情報に基づき、前記取得した１乃至複数の楽曲特定情報のうち該当する楽曲特定情報に従って前記サーバに対してアクセスし、前記楽曲特定情報に対応する楽曲データを随時に受信する手段と、前記受信した楽曲データに従って前記放送コンテンツの放送時に流れる１乃至複数の音楽それぞれに同期するようにして、少なくとも音源、演奏操作子、表示器のいずれか１つを駆動するよう制御する手段とを含む電子音楽装置と
を具えた電子音楽装置システム。
【請求項６】
前記サーバは、電子音楽装置に対して送信する楽曲データに関し、所定の著作権管理にかかる処理を実行する手段を具える請求項４又は５に記載の電子音楽装置システム。
【請求項７】
コンピュータに、
放送局から放送される放送コンテンツに含まれる１乃至複数の音楽それぞれに対応する楽曲データを予め取得する手順と、
前記放送コンテンツに含まれる１乃至複数の音楽それぞれが放送局から放送されるタイミングに対応したタイミング制御情報を取得する手順と、
前記取得したタイミング制御情報に基づき、前記取得した１乃至複数の楽曲データのうち該当する楽曲データに従って、前記放送コンテンツの放送時に流れる１乃至複数の音楽それぞれに同期するようにして、少なくとも音源、演奏操作子、表示器のいずれか１つを駆動するよう制御する手順と
を実行させるためのプログラム。
【請求項８】
コンピュータに、
放送局から放送される放送コンテンツに含まれる１乃至複数の音楽それぞれに対応する楽曲データにアクセスするための楽曲特定情報を予め取得する手順と、
前記放送コンテンツに含まれる１乃至複数の音楽それぞれが放送局から放送されるタイミングに対応したタイミング制御情報を取得する手順と、
前記取得したタイミング制御情報に基づき、前記取得した１乃至複数の楽曲特定情報のうち該当する楽曲特定情報に従う楽曲データを随時に取得し、該取得した楽曲データに従って前記放送コンテンツの放送時に流れる１乃至複数の音楽それぞれに同期するようにして、少なくとも音源、演奏操作子、表示器のいずれか１つを駆動するよう制御する手順と
を実行させるためのプログラム。
【発明の詳細な説明】
【技術分野】
【０００１】
この発明は、放送中の音楽に連動して動作することが可能な電子音楽装置、電子音楽装置システム、及びそれらに用いるプログラムに関する。特に、電子音楽装置が連動動作する放送コンテンツの制作、ならびに電子音楽装置を連動動作させるために利用する楽曲に関する著作権管理を容易に行うことができるようにした電子音楽装置、電子音楽装置システム、及びそれらに用いるプログラムに関する。
【背景技術】
【０００２】
従来から、テレビやラジオなどの受信側装置から流れてくる音楽、つまり放送局から不特定多数のユーザに対して随時に伝送されている所定の放送信号に基づき再生される映像や音声さらには音楽等を含む番組の放送にあわせて、音源を駆動して音楽を鳴らすなどの動作を、放送中の番組に連動して行うことができる電子音楽装置が知られている。こうした装置の一例を挙げると、例えば下記に示す特許文献１に記載の装置がある。この特許文献１に記載の装置では、放送信号に楽器演奏用のディジタルデータ（例えばＭＩＤＩデータなど）を含ませて放送することで、受信側装置でこの放送を受信することに応じて楽器演奏、映像及び音声の再生を行うことを可能としている。
【特許文献１】特許第2538921号公報
【発明の開示】
【発明が解決しようとする課題】
【０００３】
ところで、上述した特許文献１に記載したような従来の装置においては、放送局（送信側装置）から伝送する放送信号のデータチャンネルにＭＩＤＩデータパケットを含ませておき、このパケット化したＭＩＤＩデータ（楽曲データ）を映像信号や音声信号などと同期させて放送信号（放送波）として伝送して電子音楽装置（受信側装置）で利用することにより、音源を駆動させて音楽を鳴らさせるなどの動作を、放送中の番組で流れる音楽に連動させて行わせている。すなわち、受信側装置では、放送局（送信側装置）から伝送された放送波を受信して、該受信した放送波に含まれる映像信号に基づく映像や音声信号に基づく音声の再生などの他に、電子音楽装置でのＭＩＤＩデータに基づく自動演奏などを可能としている。しかし、従来ではＭＩＤＩデータをパケット化し、これを予め放送信号のデータチャンネルに含ませて伝送するようにしていることから、こうしたＭＩＤＩデータを含む放送コンテンツの制作が難しいものであった。また、番組内で流す音楽を差し替えたりしたい場合には、新たに最初から放送コンテンツを作り直さなければならず面倒である、といった問題点があった。さらに、従来のように放送信号にＭＩＤＩデータを含ませる方法は、電子音楽装置を連動駆動するために利用する音楽にかかる著作権の管理が難しい。すなわち、従来の放送は不特定多数のユーザに対するものであり、昨今の放送の多チャンネル化に鑑みて、個々のユーザが視聴したいコンテンツのみを任意に選択できるような場合に、視聴を選択した個々のユーザに対する該選択コンテンツに応じた個別の課金などの著作権管理を行うには向いていない。
【０００４】
本発明は上述の点に鑑みてなされたもので、放送コンテンツ自体に楽曲データを含めなくても、番組の放送中に番組内で流れる音楽に連動して電子音楽装置を動作することのできる電子音楽装置、電子音楽装置システム、及びそれらに用いるプログラムを提供しようとするものである。また、電子音楽装置を動作させるために利用する音楽の著作権管理を容易にできるようにした電子音楽装置、電子音楽装置システム、及びそれらに用いるプログラムを提供しようとするものである。
【課題を解決するための手段】
【０００５】
本発明の請求項１に係る電子音楽装置は、少なくとも音源、演奏操作子、表示器のいずれか１つを具えた電子音楽装置において、放送局から放送される放送コンテンツに含まれる１乃至複数の音楽それぞれに対応する楽曲データを予め取得する楽曲情報取得手段と、前記放送コンテンツに含まれる１乃至複数の音楽それぞれが放送局から放送されるタイミングに対応したタイミング制御情報を取得する取得手段と、少なくとも音源、演奏操作子、表示器のいずれか１つを駆動する駆動手段と、前記取得したタイミング制御情報に基づき、前記取得した１乃至複数の楽曲データのうち該当する楽曲データに従って、前記放送コンテンツの放送時に流れる１乃至複数の音楽それぞれに同期するようにして前記駆動手段を駆動するよう制御する制御手段とを具える。
【０００６】
本発明によると、放送局から放送される放送コンテンツに含まれる１乃至複数の音楽それぞれに対応する楽曲データを予め取得しておき、さらに前記放送コンテンツに含まれる１乃至複数の音楽それぞれが放送局から放送されるタイミングに対応したタイミング制御情報に基づき、前記タイミング制御情報に応じたタイミングで前記記憶した楽曲データのうち該当の楽曲データを用いて、前記放送コンテンツの放送時に流れる１乃至複数の音楽それぞれに同期するようにして、少なくとも音源、演奏操作子、表示器のいずれか１つを駆動するよう制御する。このようにすると、放送局から放送される放送コンテンツに、電子音楽装置における少なくとも音源、演奏操作子、表示器のいずれか１つを連動動作するための楽曲データを含ませておかなくても、放送中の音楽にあわせて電子音楽装置を連動動作させることができることから、予め電子音楽装置を放送にあわせて連動動作することを考慮して楽曲データを含めた放送コンテンツを制作しなくてもよく、放送コンテンツの制作が容易にできるようになる。
【０００７】
本発明の請求項２に係る電子音楽装置は、少なくとも音源、演奏操作子、表示器のいずれか１つを具えた電子音楽装置において、放送局から放送される放送コンテンツに含まれる１乃至複数の音楽それぞれに対応する楽曲データにアクセスするための楽曲特定情報を予め取得する楽曲情報取得手段と、前記放送コンテンツに含まれる１乃至複数の音楽それぞれが放送局から放送されるタイミングに対応したタイミング制御情報を取得する取得手段と、少なくとも音源、演奏操作子、表示器のいずれか１つを駆動する駆動手段と、前記取得したタイミング制御情報に基づき、前記取得した１乃至複数の楽曲特定情報のうち該当する楽曲特定情報に従う楽曲データを随時に取得し、該取得した楽曲データに従って前記放送コンテンツの放送時に流れる１乃至複数の音楽それぞれに同期するようにして前記駆動手段を駆動するよう制御する制御手段とを具える。これによっても、予め電子音楽装置を放送にあわせて連動動作することを考慮して放送コンテンツを制作しなくてもよいので、放送コンテンツの制作が容易にできるようになる。
【０００８】
本発明の請求項４に係る電子音楽装置システムは、通信ネットワークを介して相互に通信可能に接続されるサーバと電子音楽装置とからなる電子音楽装置システムであって、放送局から放送される放送コンテンツに含まれる１乃至複数の音楽それぞれに対応する楽曲データと、前記放送コンテンツに含まれる１乃至複数の音楽それぞれが放送局から放送されるタイミングに対応したタイミング制御情報とを記憶する手段と、前記電子音楽装置からの指示に応じて前記記憶した１乃至複数の楽曲データとタイミング制御情報とを送信する手段とを含むサーバと、前記サーバから送信された１乃至複数の楽曲データとタイミング制御情報を受信して記憶する手段と、前記記憶したタイミング制御情報に基づき、前記取得した１乃至複数の楽曲データのうち該当する楽曲データに従って、前記放送コンテンツの放送時に流れる１乃至複数の音楽それぞれに同期するようにして、少なくとも音源、演奏操作子、表示器のいずれか１つを駆動するよう制御する手段とを含む電子音楽装置とを具える。
【０００９】
本発明の請求項５に係る電子音楽装置システムは、通信ネットワークを介して相互に通信可能に接続されるサーバと電子音楽装置とからなる電子音楽装置システムであって、放送局から放送される放送コンテンツに含まれる１乃至複数の音楽それぞれに対応する楽曲データと、前記楽曲データにアクセスするための楽曲特定情報と、前記放送コンテンツに含まれる１乃至複数の音楽それぞれが放送局から放送されるタイミングに対応したタイミング制御情報とを記憶する手段と、前記電子音楽装置からの指示に応じて前記記憶した楽曲特定情報とタイミング制御情報とを送信する手段と、前記電子音楽装置からの前記送信した楽曲特定情報に基づくアクセスに応じて前記記憶した１乃至複数の楽曲データのうち該当する楽曲データを送信する手段とを含むサーバと、前記サーバから送信された１乃至複数の楽曲特定情報とタイミング制御情報を受信して記憶する手段と、前記記憶したタイミング制御情報に基づき、前記取得した１乃至複数の楽曲特定情報のうち該当する楽曲特定情報に従って前記サーバに対してアクセスし、前記楽曲特定情報に対応する楽曲データを随時に受信する手段と、前記受信した楽曲データに従って前記放送コンテンツの放送時に流れる１乃至複数の音楽それぞれに同期するようにして、少なくとも音源、演奏操作子、表示器のいずれか１つを駆動するよう制御する手段とを含む電子音楽装置とを具える。
【００１０】
本発明は、装置の発明として構成し実施することができるのみならず、方法の発明として構成し実施することができる。また、本発明は、コンピュータまたはＤＳＰ等のプロセッサのプログラムの形態で実施することができるし、そのようなプログラムを記憶した記憶媒体の形態で実施することもできる。
【発明の効果】
【００１１】
この発明によれば、放送局から伝送する放送コンテンツに電子音楽装置を連動動作させるために利用する楽曲データを含ませておくことなく、前記楽曲データを放送局から配信される放送コンテンツとは分離させてサーバから取得するようにしたことから、電子音楽装置を連動動作することができる放送コンテンツの制作や、電子音楽装置を連動動作させるために利用する楽曲に関しての著作権管理が容易にできるようになる、という効果を得る。
【発明を実施するための最良の形態】
【００１２】
以下、この発明の実施の形態を添付図面に従って詳細に説明する。
【００１３】
図１は、この発明に係る電子音楽装置の全体構成を示したハード構成ブロック図である。本実施例に示す電子音楽装置は、マイクロプロセッサユニット（ＣＰＵ）１、リードオンリメモリ（ＲＯＭ）２、ランダムアクセスメモリ（ＲＡＭ）３からなるマイクロコンピュータによって制御される、例えば電子楽器やパーソナルコンピュータ等の機器である。ＣＰＵ１は、この電子音楽装置全体の動作を制御するものである。このＣＰＵ１に対して、データ及びアドレスバス１Ｄを介してＲＯＭ２、ＲＡＭ３、検出回路４，５、表示回路６、音源回路７、効果回路８、外部記憶装置１０、近距離通信インタフェース（I/F）１１およびネットワークインタフェース（I/F）１２がそれぞれ接続されている。更に、ＣＰＵ１には、タイマ割込み処理（インタラプト処理）における割込み時間や各種時間を計時するタイマ１Ａが接続されている。例えば、タイマ１Ａはクロックパルスを発生し、発生したクロックパルスをＣＰＵ１に対して処理タイミング命令として与えたり、あるいはＣＰＵ１に対してインタラプト命令として与える。ＣＰＵ１は、これらの命令に従って各種処理を実行する。
【００１４】
ＲＯＭ２は、ＣＰＵ１により実行される各種プログラムや各種データを格納するものである。ＲＡＭ３は、ＣＰＵ１が所定のプログラムを実行する際に発生する各種データを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。演奏操作子４Ａは楽音の音高を選択するための複数の鍵を備えた例えば鍵盤等のようなものであり、各鍵に対応してキースイッチを有しており、この演奏操作子４Ａ（鍵盤等）はユーザ自身の手弾きによるマニュアル演奏のために使用できるのは勿論のこと、テレビやラジオなどの受信機による放送受信時において当該電子音楽装置を連動動作させたい番組を選択するための入力手段などとして使用することもできる。また、図示しない自動駆動手段を各鍵毎に具えてなり、ユーザが操作せずとも楽曲データファイルに従って押鍵動作を自動的に行うように、各鍵を駆動することができるようになっている。検出回路４は、演奏操作子４Ａの各鍵の押圧及び離鍵を検出することによって検出出力を生じる。なお、ここでは図示していないが、鍵盤を構成する複数の鍵毎にＬＥＤのような発光素子（鍵盤ＬＥＤと呼ぶ）からなる表示器を設けていてよい。
【００１５】
設定操作子（スイッチ等）５Ａは、例えば放送時において当該電子音楽装置を連動動作させたい番組を選択するための「テレビ番組表」（後述する図３参照）をディスプレイ６Ａに表示するよう指示する番組選択スイッチ、放送される音楽と連動させて当該電子音楽装置を駆動させるか否かを指示する連動設定スイッチなどがある。勿論、これら以外にも、音高、音色、効果等を選択・設定・制御するために用いる数値データ入力用のテンキーや文字データ入力用のキーボード、あるいはディスプレイ６Ａに表示される所定のポインティングデバイスを操作するために用いるマウスなどの各種操作子を含んでいてよい。検出回路５は、上記各スイッチの操作状態を検出し、その操作状態に応じたスイッチ情報をデータ及びアドレスバス１Ｄを介してＣＰＵ１に出力する。
【００１６】
表示回路６は例えば液晶表示パネル（ＬＣＤ）やＣＲＴ等から構成されるディスプレイ６Ａ（表示器）に、サーバ１２Ａから取得した「テレビ番組表」（後述する図３参照）を表示したり、再生中の曲の楽譜を表示させたり、あるいはＣＰＵ１の制御状態などを表示したりする。ユーザは該ディスプレイ６Ａに表示される「テレビ番組表」を参照することで、当該電子音楽装置を連動動作させたい番組の選択操作を容易に行うことができるようにしている。音源回路７は複数のチャンネルで楽音信号の同時発生が可能であり、データ及びアドレスバス１Ｄを経由して与えられた、ユーザによる演奏操作子４Ａの操作に応じて発生される、あるいは楽曲データファイルに含まれる各種演奏情報を入力し、これらの演奏情報に基づいて楽音信号を発生する。音源回路７から発生された楽音信号は、効果回路８を介して効果付与されてアンプやスピーカなどを含むサウンドシステム９から発音される。この音源回路７と効果回路８とサウンドシステム９の構成には、従来のいかなる構成を用いてもよい。例えば、音源回路７はFM、PCM、物理モデル、フォルマント合成等の各種楽音合成方式のいずれを採用してもよく、また専用のハードウェアで構成してもよいし、ＣＰＵ１によるソフトウェア処理で構成してもよい。
【００１７】
外部記憶装置１０は、MIDI形式の楽曲データファイルなどの各種データ、ＣＰＵ１が実行する各種制御プログラム等の制御に関するデータなどを記憶する。なお、上述したＲＯＭ２に制御プログラムが記憶されていない場合、この外部記憶装置１０（例えばハードディスク）に制御プログラムを記憶させておき、それをＲＡＭ３に読み込むことにより、ＲＯＭ２に制御プログラムを記憶している場合と同様の動作をＣＰＵ１にさせることができる。このようにすると、制御プログラムの追加やバージョンアップ等が容易に行える。なお、外部記憶装置１０はハードディスク（HD）に限られず、フレキシブルディスク（FD）、コンパクトディスク（CD‐ROM・CD‐RAM）、光磁気ディスク（MO）、あるいはDVD（Digital Versatile Disk）等の着脱自在な様々な形態の外部記憶媒体を利用する記憶装置であればどのようなものであってもよい。あるいは、フラッシュメモリなどの半導体メモリであってもよい。近距離通信インタフェース（I/F）１１は、テレビやＳＴＢ（セットトップボックス）などの放送局から放送される番組を受信することのできる外部の周辺機器１１Ａと本電子音楽装置との間で、各種データを送受信するためのインタフェースである。こうした近距離通信インタフェース１１は、例えばRS-232C、USB（ユニバーサル・シリアル・バス）、IEEE1394（アイトリプルイー1394）、ブルートゥース（商標）、赤外線送受信器等の有線又は無線の汎用のインタフェースであってよい。
【００１８】
ネットワークインタフェース（Ｉ／Ｆ）１２は、例えばLAN（Local Area Network）やインターネット、電話回線等の有線あるいは無線の通信ネットワークＸに接続されており、該通信ネットワークＸを介してサーバコンピュータ１２Ａと接続され、当該サーバコンピュータ１２Ａから制御プログラムあるいは各種データなどを電子音楽装置側に取り込むためのインタフェースである。この実施例では、電子音楽装置からの放送関連楽曲情報の要求に応じて、サーバ１２Ａから楽曲データファイルと再生開始タイミング制御情報が電子音楽装置側に送られるようになっている（詳しくは後述する）。また、ＲＯＭ２や外部記憶装置１０（例えば、ハードディスク）等に制御プログラムや各種データが記憶されていない場合には、サーバコンピュータ１２Ａから制御プログラムや各種データをダウンロードするために用いられる。こうしたネットワークインタフェース１２は、有線あるいは無線のものいずれかでなく双方を具えていてよい。
【００１９】
なお、演奏操作子４Ａは鍵盤楽器の形態に限らず、弦楽器や管楽器、あるいは打楽器等どのようなタイプの形態でもよい。また、演奏操作子４Ａやディスプレイ６Ａあるいは音源回路７などを１つの装置本体に内蔵したものに限らず、それぞれが別々に構成され、近距離通信インタフェースや各種ネットワーク等の通信手段を用いて各装置を接続するように構成されたものであってもよいことは言うまでもない。さらに、本発明に係る電子音楽装置は上記したような電子楽器やパーソナルコンピュータの形態に限らず、カラオケ装置やゲーム装置、携帯電話等の携帯型通信端末、自動演奏ピアノなど、どのような形態の装置・機器に適用してもよい。携帯型通信端末に適用した場合、端末のみで所定の機能が完結している場合に限らず、機能の一部をサーバ側に持たせ、端末とサーバとからなるシステム全体として所定の機能を実現するようにしてもよい。
【００２０】
図１に示した電子音楽装置においては、自機が有する演奏操作子（鍵盤）４Ａを駆動して自動的に押鍵動作を行ったり、音源回路７を駆動して音楽を鳴らしたり、ディスプレイ６Ａを駆動して放送中の音楽の楽譜などを表示したり、さらには図示しない鍵盤LEDを駆動して自動的に点灯／消灯を繰り返し行ったりするなどの動作を、放送中の番組内で流される音楽にあわせて連動するようにして行う。そこで、こうした放送中の番組内で流される音楽にあわせて電子音楽装置を連動して動作させることができる連動動作システムの概要について、図２を用いて説明する。図２は、本発明に係る電子音楽装置システムの全体構成の一実施例を略示するシステムブロック図である。なお、連動動作システムとしては図２に示す以外のハードウェアを有する場合もあるが、ここでは必要最小限の資源を用いた場合について説明する。
【００２１】
この実施例に示す連動動作システムは、制作された放送コンテンツ（番組）をテレビ放送として配信するテレビ放送局Ｂと、テレビ放送局Ｂから放送コンテンツ（番組）の提供を受けるエンドユーザ側の機器であり、配信される放送コンテンツ（番組）のうちユーザ所望の番組を任意に受信して利用できるテレビ受信機Ｔと、放送中の番組内で流される音楽にあわせて連動動作する電子楽器ＤＭと、通信ネットワークに接続されたサーバＳとに大きく分けることができる。テレビ放送局Ｂは、コンテンツ制作装置ＣＳで制作された放送コンテンツを無線あるいは有線にて放送する。テレビ放送局Ｂからの放送コンテンツの放送（配信）形態はディジタル放送であってもよいし、アナログ放送であってもよい。こうしたテレビ放送局Ｂから配信される放送コンテンツはコンテンツ制作装置ＣＳにより制作され、例えばコンサートなどの音楽番組、音楽を含んだコマーシャル、音楽を含んだ映画やドラマなど、少なくとも番組の一部に映像や音声の他に音楽を含むコンテンツである。また、テレビ放送局内に備えられた図示しないコンピュータは、後述するサーバＳとインターネットなどの既存の通信ネットワークを介して双方向通信可能に適宜に接続することができ、放送予定の放送コンテンツの内容を、サーバＳに蓄積されている「テレビ番組表」（図３参照）に反映させることができるようになっている。コンテンツ制作装置ＣＳは、映像信号、音声信号、データ信号を含む放送コンテンツを制作する、あるいは映像、音声、音楽等の放送コンテンツの内容を変更するための機器である。ただし、コンテンツ制作装置ＣＳで制作される放送コンテンツには、電子音楽装置を連動動作するために利用する楽曲データファイル（ＭＩＤＩデータなど）が含まれない。
【００２２】
テレビ受信機Ｔは、受信・デコード部ＲＤ、ブラウン管や液晶ディスプレイあるいはプラズマディスプレイ等の映像再生部Ｖ、スピーカ等の音声再生部Ｍを少なくとも含む。受信・デコード部ＲＤは、テレビ放送局Ｂからテレビ放送として配信された放送信号を受信し、受信した放送信号を映像信号、音声信号、データ信号に分けてデコードを行う。デコード後の映像信号は映像再生部Ｖに送られて、映像再生部Ｖは該デコード後の映像信号に基づき映像を表示する。一方、デコード後の音声信号は音声再生部Ｍに送られて、音声再生部Ｖは該デコード後の音声信号に基づき音声を発音する。デコード後のデータ信号については、図示していないデータ利用部によりデータ信号の種類に応じた利用がなされる。例えば、文字を表示する文字放送などがある。
【００２３】
電子楽器ＤＭは上述の図１に示したような電子音楽装置であって、テレビ放送局Ｂで放送中の番組内で流される音楽にあわせて、自機が有する演奏操作子（鍵盤）４Ａを駆動したり、音源回路７を駆動させて音楽を鳴らしたり、ディスプレイ６Ａに放送中の音楽の楽譜などを表示したり、さらには図示しない鍵盤LEDを点灯／消灯したりするなどの動作を連動して行うことができる機器である。制御部Ｃは、記憶部Ｒに記憶されている再生開始タイミング制御情報に従って、再生部Ｇに対して再生開始指示を行う。再生部Ｇは、制御部Ｃからの再生開始指示に応じて、記憶部Ｒに記憶された該当する楽曲特定情報（例えば楽曲データファイル名や楽曲データファイルＵＲＬ（Uniform Resorce Locator）など）に従って、記憶部Ｒに記憶されている多数の楽曲データファイルの中から該当する楽曲データファイルを読み出す、あるいは通信部Ｉを介して、インターネットなどの既存の通信ネットワークを介して双方向通信可能に適宜に接続されるサーバＳから該当する楽曲データファイルをストリーム配信により受信する。この記憶部Ｒに記憶される楽曲特定情報及び再生開始タイミング制御情報の組み合わせからなる楽曲制御情報は、通信部Ｉを介して放送関連楽曲情報要求に応じて前記サーバＳから取得される情報である。記憶部Ｒから読み出した楽曲データファイル（又はサーバＳからストリーム配信された楽曲データファイル）は、音源部Ｏ、演奏操作子（鍵盤）駆動部ＫＤ、表示器駆動部ＤＤの少なくともいずれか１つに送られて、テレビ放送局Ｂから配信される番組の放送中に流される音楽にあわせて該電子音楽装置を連動動作させる。すなわち、再生開始タイミング制御情報に基づいて楽曲データファイルの再生開始が制御され、再生された楽曲データファイルに基づいて、音源部Ｏ、演奏操作子駆動部ＫＤ、表示器駆動部ＤＤのうちの少なくとも１つが制御され、テレビ受信機に表示されている映像及び／又は再生される音声と同期して、電子楽器ＤＭから音楽が発音されたり、演奏操作子（鍵盤）が駆動されたり、表示器（ディスプレイや鍵盤ＬＥＤなど）が駆動されたりする。
【００２４】
サーバＳは、放送コンテンツ内の音楽に関連する楽曲制御情報を蓄積（記憶）している。楽曲制御情報は、放送コンテンツに含まれる音楽に対応した楽曲データファイル（例えば、スタンダードＭＩＤＩデータファイル）を特定する楽曲特定情報と、該楽曲データファイルの再生を開始するタイミング（番組の放送に応じて音楽が流れはじめる時刻と等しい）を制御するための再生開始タイミング制御情報とを含み、電子楽器ＤＭからの指定に応じて該当する情報が電子楽器ＤＭに対して送られ記憶部Ｒに記憶される。なお、放送コンテンツ内で流れる音楽が楽曲データの一部分（楽曲の先頭から途中までや、途中の一部区間のみなど）のこともあり、その場合には楽曲制御情報中に該一部分を特定する情報を含ませてもよい。そして、再生時には、この一部分特定情報により特定された一部分のみを再生すればよい。あるいは、楽曲データを本来の楽曲の一部分のみからなるデータとしてもよい。また、サーバＳは上記した楽曲制御情報のほかに、「テレビ番組表」を記憶している。電子楽器ＤＭでは、適宜にサーバＳから「テレビ番組表」を取得することができ、取得した「テレビ番組表」をディスプレイ６Ａ上に表示する。そして、ユーザは電子楽器ＤＭのディスプレイ６Ａ上に表示された「テレビ番組表」（後述する図３参照）から任意に番組を指定することができ、このユーザ指定に応じてサーバＳから指定された番組に関連した楽曲制御情報を取得することができるようになっている。そこで、次に、電子楽器ＤＭのディスプレイ６Ａ上に表示され、ユーザによる電子音楽装置を連動動作させたい番組を指定するために利用される「テレビ番組表」について、図３を用いて説明する。図３は、「テレビ番組表」の一実施例を示す概念図である。
【００２５】
図３に示すように、「テレビ番組表」は、所定の期間（例えば１週間や１ヶ月など）内において各放送局Ａ〜Ｃで放送する予定である番組を、ユーザ所望の月日や時間帯毎に一覧表示したものである。放送局Ａ〜Ｃ毎に表示される番組一覧としては放送予定の番組名の他に、各番組毎に関連楽曲リストが表示される。関連楽曲リストは、各番組内において利用している音楽（関連楽曲）に関する情報として例えば曲名やアーティスト名などを表示する。一覧表示される番組には、関連楽曲の楽曲データファイルがサーバＳに蓄積されている番組と、関連楽曲の楽曲データファイルがサーバＳに蓄積されていない番組とがあり、それらの違いをユーザが表示中の「テレビ番組表」から一見して理解することができるよう、それぞれの番組を異なる表示態様で表示する。例えば、関連楽曲の楽曲データファイルがサーバＳに蓄積されている番組については、強調表示する（図中では便宜的に斜線で示している）。
【００２６】
「テレビ番組表」において強調表示されている番組の1つがユーザにより任意にクリックされた場合には、当該電子楽器ＤＭからアクセスしているサーバＳに対して放送関連楽曲情報要求が送られる。そして、サーバＳは、該放送関連楽曲情報要求に応じて、クリック操作された番組に関連した楽曲制御情報を電子楽器ＤＭに対して返信する。すなわち、ユーザは番組一覧に表示された番組の中から所望の番組を選択することで、当該番組内で流される音楽に関連する楽曲制御情報を取得することができる。なお、一覧表示された番組をクリックすることに応じて、すぐにサーバＳに対して放送関連楽曲情報要求を送ることに限らず、例えば一覧表示された番組をクリックすることに応じて番組詳細（例えば、番組の解説や番組中に流れる音楽の解説等）を表示し、さらにその詳細表示中に設けられた「取得」ボタンをユーザが新たにクリック操作した場合に、サーバＳに対して放送関連楽曲情報要求を送るようにしてあってもよい。また、クリックされた番組内で流される音楽の中から、ユーザが任意に電子楽器ＤＭを連動動作させたい音楽のみを指定できるようにしてあってもよい。そうした場合には、ユーザにより指定された音楽に関する楽曲制御情報のみがサーバＳから取得される。
【実施例１】
【００２７】
次に、図２に示した連動動作システムを構成する電子楽器ＤＭ（電子音楽装置）及びサーバＳとで各々実行する、ユーザがテレビ受信機Ｔで視聴しているユーザ所望の番組内で流される音楽にあわせて、電子楽器ＤＭを連動動作するまでの一連の処理概要について説明する。ただし、サーバＳからの楽曲データファイルの配信形態として、大きくダウンロード方式とストリーム配信方式（所謂ストリーミングと呼ばれる逐次配信方式）とにわけることができることから、それぞれの配信形態毎に分けて説明する。
【００２８】
まず、ダウンロード方式の場合について、図４及び図５を用いて説明する。図４は、電子楽器ＤＭ及びサーバＳの各々が実行する「連動動作処理」の一実施例を説明するためのフローチャートである。図５は、ダウンロード方式の場合における電子楽器ＤＭとサーバＳとの間における情報の送受信のタイミングと、楽曲再生のタイミングとを示した概念図である。図４に示す処理は、図２に示した電子楽器ＤＭ又はサーバＳのそれぞれにおいて適宜起動されるソフトウェアプログラムであって、プログラム起動後は常に所定の待機状態にあり、サーバＳ側の処理は電子楽器ＤＭからアクセス要求を受信すると開始される。他方、電子楽器ＤＭ側の処理は、ユーザによる番組選択スイッチの操作に応じて開始される。なお、実際には電子楽器ＤＭとサーバＳとではユーザアクセス開始から楽曲データファイルの再生までの処理をそれぞれ独立に実行するものであるが、ここでは説明を理解しやすくするために、一連の処理の流れに沿って電子楽器ＤＭとサーバＳの各々で実行される処理について説明する。すなわち、アクセス要求した電子楽器ＤＭとアクセス要求されたサーバＳとの間では所定の情報を送受信しながら並行して各々の処理を行うので、この情報の送受信の流れに沿って各々の処理を順に説明する。以下、図４及び図５を参照しながら、ダウンロード方式の場合における「連動動作処理」について説明する。
【００２９】
まず、ユーザによる番組選択スイッチの操作に応じて、電子楽器ＤＭから所定のサーバＳに対してアクセス要求を行い、通信ネットワークを介してサーバＳに接続（アクセス）する（ステップＳ１）。サーバＳは、電子楽器ＤＭからのアクセス要求に応じて、テレビ番組表データを送信する（ステップＳ１１）。電子楽器ＤＭはサーバＳからテレビ番組表データを受信すると、受信したテレビ番組表データに基づきディスプレイ６Ａに「テレビ番組表」を表示する（ステップＳ２）。そして、該表示した「テレビ番組表」を利用しての、ユーザによる放送関連楽曲を含むテレビ番組が選択されると（ステップＳ３）、電子楽器ＤＭからサーバＳに対して放送関連楽曲情報要求が送られ、これに応じてサーバＳは該当する楽曲データ、つまり「テレビ番組表」に記載されていた関連楽曲リストに対応する楽曲データに関して、著作権管理に関する処理を実行する（ステップＳ１２）。著作権管理に関する処理としては、例えば楽曲データの利用に応じた分の課金や楽曲データを使用できる範囲を決める使用権利の付与などの処理がある。こうした著作権管理に関する処理を終了すると、サーバＳは電子楽器ＤＭに対して楽曲制御情報（楽曲データファイル＋再生開始タイミング制御情報）を送信する（ステップＳ１３）。
【００３０】
電子楽器ＤＭはサーバＳから楽曲制御情報を受信すると、該受信した楽曲制御情報（楽曲データファイル＋再生開始タイミング制御情報）を保存する（ステップＳ４）。すなわち、ここでは楽曲データファイルをダウンロードする。楽曲データファイルのダウンロード後、保存した再生開始タイミング制御情報と現在時刻とを比較して、当該楽曲データファイルの楽曲再生開始タイミングが到来したか否かを判定する（ステップＳ５）。なお、電子楽器ＤＭは現在時刻を得るための時計を内蔵しているものとする。正確な時刻を得るために電波時計としたり、ネットワーク経由でＮＴＰ（ネットワークタイムプロトコル）サーバから時刻情報を取得し、内蔵時計の時刻を定期的に修正するとよい。楽曲再生開始タイミングが到来したと判定した場合には（ステップＳ５のＹＥＳ）、該当する楽曲データファイルの再生を開始する。電子楽器ＤＭに記憶されて電子楽器ＤＭ内部で時間管理がなされる楽曲再生開始タイミングは、予め放送中の番組における該当する音楽が流れる時刻と同一タイミングに設定されていることから、図５に示すように、ユーザがテレビ受信機Ｔで視聴している番組内で流れる音楽（図中の音楽部分）と、当該電子楽器ＤＭにおける再生音楽（図中の楽曲再生）とは同一時刻に同期して演奏されることになる。また、図５から理解できるように、テレビ放送局Ｂから配信される放送信号に基づくテレビ受信機Ｔでの音楽部分の再生と、電子楽器ＤＭにおける関連する楽音データファイルに基づく楽音再生とは、それぞれが独立した処理で実行される。
【実施例２】
【００３１】
次に、ストリーミング配信方式の場合について、図６及び図７を用いて説明する。図６は、電子楽器ＤＭ及びサーバＳの各々が実行する「連動動作処理」の別の実施例を説明するためのフローチャートである。図７は、ストリーミング配信方式の場合における電子楽器ＤＭとサーバＳとの間における情報の送受信のタイミングと、楽曲再生のタイミングとを示した概念図である。なお、ここでも説明を理解しやすくするために、電子楽器ＤＭとサーバＳ間での所定の情報の送受信の流れに沿って各々の処理を順に説明する。以下、図６及び図７を参照しながら、ストリーミング配信方式の場合における「連動動作処理」について説明する。
【００３２】
電子楽器ＤＭにおけるステップＳ２１〜ステップＳ２３までの処理は、上述した図４に示したステップＳ１〜ステップＳ３までの処理と同様であり、またサーバＳにおけるステップＳ３１及びステップＳ３２の処理は、上述した図４に示したステップＳ１１及びステップＳ１２の処理と同様であることから、ここでは説明を省略する。サーバＳはステップＳ３２の著作権処理を終了すると、電子楽器ＤＭに対して楽曲制御情報（楽曲データファイルＵＲＬ＋ストリーミング要求タイミング制御情報）を送信する（ステップＳ３３）。
【００３３】
電子楽器ＤＭはサーバＳから楽曲制御情報を受信すると、該受信した楽曲制御情報（楽曲データファイルＵＲＬ＋ストリーミング要求タイミング制御情報）を保存する（ステップＳ２４）。そして、保存したストリーミング要求タイミング制御情報と現在時刻とを比較して、ストリーミング要求を行うタイミングが到来したか否かを判定する（ステップＳ２５）。ストリーミング要求を行うタイミングが到来したと判定した場合には（ステップＳ２５のＹＥＳ）、楽曲データファイルＵＲＬに基づきストリーミング要求を行って、サーバＳ内に記憶されている該当する楽曲データファイルにアクセスする。サーバＳは、楽曲データファイルＵＲＬに基づく楽曲データファイルへのアクセスに応じて、該当する楽曲データファイルを電子楽器ＤＭに対してストリーミング配信する（ステップＳ３４）。電子楽器ＤＭは、サーバＳからストリーミング配信された楽曲データファイルを一時記憶メモリ（ＲＡＭなど）に一時的に蓄積してから再生する（ステップＳ２７）。ストリーミング配信された楽曲データファイルの再生終了に応じて、一時記憶メモリからストリーミング配信された楽曲データファイルを消去（クリア）する（ステップＳ２８）。この場合においても、上記したダウンロード方式の場合と同様に、図７に示すように、ユーザがテレビ受信機Ｔで視聴している番組内で流れる音楽と、当該電子楽器ＤＭにおける再生音楽とは同一時刻に同期して演奏される。また、図７から理解できるように、テレビ放送局Ｂから配信される放送信号に基づくテレビ受信機Ｔでの音楽部分の再生と、電子楽器ＤＭにおける関連する楽音データファイルに基づく楽音再生とは、それぞれが独立した処理で実行される。
【００３４】
このようにして、テレビ放送局Ｂなどから伝送される放送コンテンツ（番組）に電子楽器ＤＭを連動動作させるために利用する楽曲データを、放送コンテンツ内に含ませずに放送コンテンツとは分離させてサーバＳに記憶しておき、ユーザの必要に応じて取得できるようにしたことから、予め電子楽器ＤＭを放送にあわせて連動動作することを考慮して放送コンテンツを制作しなくてもよく、放送コンテンツの制作が容易になる。また、個々のユーザの必要に応じて、電子楽器ＤＭを連動動作させるために利用する楽曲データを取得できるようにしたことで、楽曲データ毎の著作権管理を個々のユーザによる取得状況に応じて行うことが容易にできるようになる。
【００３５】
なお、電子楽器ＤＭは、放送される番組内の音楽に関する楽曲データファイルを、既に取得済みであるような場合がある。例えば、ユーザ自身が既にサーバＳから楽曲データファイル（再生開始タイミング制御情報を含む）をダウンロード済みであったり、ＣＤやＤＶＤなどのメディアに記録された楽曲データファイル（再生開始タイミング制御情報を含む）を予め購入して記憶済みであるような場合である。そうした場合における楽曲再生のタイミングを示すと図８に示すようになり、この図８から理解できるように、この場合には電子楽器ＤＭはサーバＳにアクセスすることなく、電子楽器ＤＭ内部でのみ再生開始タイミング制御情報に基づき再生開始タイミングを管理して、楽曲データファイルを再生することにより、電子楽器ＤＭ単体で放送中の番組内で流される音楽にあわせた連動動作（ここでは楽曲の再生）を行う。
【００３６】
なお、楽曲データファイルをストリーミング配信する場合、サーバＳへの楽曲データファイルの配信要求を行ってから、楽曲データファイルを受信して再生開始できるまでにタイムラグがあり、放送中の番組内における音楽の再生タイミングと楽曲データファイルに基づく電子楽器ＤＭ側の連動動作のタイミングとを正確にあわせられない可能性がある。そのため、ストリーミング配信による楽曲データファイルの受信後に、楽曲データファイルの再生開始タイミングを放送中の番組内の音楽の再生タイミングと正確にあわすことができるように、ストリーミング配信要求を電子楽器ＤＭから若干早めにサーバＳに対して送信するようにし、楽曲データファイルの再生開始の準備が整った状態で、再生開始タイミング制御情報に従って楽曲データファイルの再生を開始するとよい。
なお、電子楽器ＤＭを連動動作させる音楽を含む放送コンテンツはテレビ放送によるものに限らず、ラジオ放送によるものでもよい。あるいは、ワンセグのような携帯端末向け放送であってもよい。
なお、放送コンテンツがコマーシャルである場合には、テレビ番組表（図３参照）に代えてあるいはテレビ番組表に加えて、関連楽曲リストを含むコマーシャルのみを表示したコマーシャル放送表を用意して、これをディスプレイ６Ａに表示するとよい。
【００３７】
なお、楽曲データファイルのフォーマットは、イベントの発生時刻を曲や小節内における絶対時間で表した『イベント＋絶対時間』形式のもの、イベントの発生時刻を１つ前のイベントからの時間で表した『イベント＋相対時間』形式のもの、音符の音高と符長あるいは休符と休符長で演奏データを表した『音高（休符）＋符長』形式のもの、演奏の最小分解能毎にメモリの領域を確保し、演奏イベントの発生する時刻に対応するメモリ領域にイベントを記憶した『ベタ方式』形式のものなど、どのような形式のものでもよい。また、メモリ上において、時系列の楽曲データが連続する領域に記憶されていてもよいし、飛び飛びの領域に散在して記憶されている楽曲データを、連続するデータとして別途管理するようにしてもよい。すなわち、時系列的に連続する楽曲データとして管理することができればよく、メモリ上で連続して記憶されているか否かは問題ではない。
【図面の簡単な説明】
【００３８】
【図１】この発明に係る電子音楽装置の全体構成を示したハード構成ブロック図である。
【図２】本発明に係る電子音楽装置システムの全体構成の一実施例を略示するシステムブロック図である。
【図３】「テレビ番組表」の一実施例を示す概念図である。
【図４】電子楽器及びサーバの各々が実行する「連動動作処理」の一実施例を説明するためのフローチャートである。
【図５】ダウンロード方式の場合における電子楽器とサーバとの間における情報の送受信のタイミングと、楽曲再生のタイミングとを示した概念図である。
【図６】電子楽器及びサーバの各々が実行する「連動動作処理」の別の実施例を説明するためのフローチャートである。
【図７】ストリーミング配信方式の場合における電子楽器とサーバとの間における情報の送受信のタイミングと、楽曲再生のタイミングとを示した概念図である。
【図８】既に楽曲制御情報を取得済みである場合の、楽曲再生のタイミングを示した概念図である。
【符号の説明】
【００３９】
１…ＣＰＵ、２…ＲＯＭ、３…ＲＡＭ、４，５…検出回路、４Ａ…演奏操作子、５Ａ…設定操作子、６…表示回路、６Ａ…ディスプレイ、７…音源回路、８…効果回路、９…サウンドシステム、１０…外部記憶装置、１１…近距離ネットワークインタフェース、１１Ａ…周辺機器、１２…ネットワークインタフェース、１２Ａ（Ｓ）…サーバコンピュータ、１Ｄ…通信バス、Ｘ…通信ネットワーク、Ｔ…テレビ受信機、Ｂ…テレビ放送局、ＣＳ…コンテンツ制作装置、ＲＤ…受信・デコード部、Ｖ…映像再生部、Ｍ…音声再生部、ＤＭ…電子楽器、Ｃ…制御部、Ｒ…記憶部、Ｉ…通信部、Ｇ…再生部、Ｏ…音源部、ＫＤ…演奏操作子駆動部、ＤＤ…表示器駆動部
【図１】
2008216890.tif 000003
【図２】
2008216890.tif 000004
【図３】
2008216890.tif 000005
【図４】
2008216890.tif 000006
【図５】
2008216890.tif 000007
【図６】
2008216890.tif 000008
【図７】
2008216890.tif 000009
【図８】
2008216890.tif 000010